(57)【特許請求の範囲】
【請求項１】
樹脂製の第１の保護部材、樹脂製の第２の保護部材、および樹脂製の第３の保護部材を備え、光軸の方向に延びる第１の回転軸を中心とする前記第１の保護部材の回転に連動して前記第２の保護部材および前記第３の保護部材を回転させることでレンズの前面を開閉するレンズバリアを有する光学機器であって、
前記第２の保護部材は前記第１の回転軸を中心として回転し、
前記第１の保護部材および前記第２の保護部材は、前記レンズバリア開閉動作時に弾性変形が可能であり、
前記第１の回転軸はレンズ鏡筒に形成された第１の穴部に回転可能に支持され、前記第２の保護部材には第２の穴部が形成され、前記第２の穴部に前記第１の回転軸と同軸の軸が回転可能に支持されており、
前記レンズ鏡筒には、前記第１の穴部とは異なる第３の穴部が形成されており、前記第１の回転軸とは異なる第２の回転軸が前記第３の穴部に回転可能に支持されて、前記第３の保護部材は前記第２の回転軸を中心として回転し、
前記第２の穴部は前記第３の保護部材に前記光軸の方向で重なり、
前記第２の保護部材には、前記第１の保護部材の前記第１の回転軸の方向に沿った移動を規制する規制部材が設けられており、
前記規制部材は、前記第１の保護部材および第２の保護部材の弾性変形によって前記レンズバリア開閉動作時に前記第１の保護部材に常に係合されて、前記第１の保護部材の前記第１の回転軸の方向に沿った移動を規制することを特徴とするレンズバリアを有する光学機器。
【請求項２】
前記規制部材に前記第１の保護部材が係合されて、前記第２の保護部材が前記第１の保護部材の前記第１の回転軸に嵌合されていることを特徴とする請求項１に記載のレンズバリアを有する光学機器。
【発明の詳細な説明】
【技術分野】
【０００１】
本発明は、光学機器に関し、特に、デジタルカメラなどのレンズバリアを有する光学機器に関する。
【背景技術】
【０００２】
一般に、デジタルカメラなどの光学機器においては、電源オフ又は画像再生中などの非撮影の際には、レンズ表面（先端）がレンズバリア装置（以下単にレンズバリアと呼ぶ）で覆われる閉状態となる。一方、撮影の際にはレンズバリアを開いてレンズ先端を露出させる開状態となる。
【０００３】
レンズバリアはバリア羽根と呼ばれる薄い板状部材を備え、このバリア羽根によって非撮影時にレンズ先端を覆い、撮影時にバリア羽根は完全にレンズの画角から退避する。
【０００４】
このため、広角レンズである場合又はレンズ径が大きい場合には、必然的にレンズを覆うバリア羽根（つまり、レンズバリア）が大型化する。さらに、撮影の際にバリア羽根が退避するための空間も大きくする必要がある。この結果、レンズバリアを有する光学機器を小型化することが困難となる。
【０００５】
このような問題に対処するため、バリア羽根を３枚を一組として二組に分割して、各組を光軸を中心として点対称に配置したレンズバリアがある（例えば、特許文献１参照）。
【０００６】
このレンズバリアでは、３枚一組のバリア羽根がレンズを覆い隠す際には各バリア羽根が部分的に重なって被覆面を増やして、レンズ先端から退避する際には３枚が全体的に重なってレンズの光路からの退避を最小限としている。
【０００７】
特許文献１において、３枚のバリア羽根のうち最も光軸に近づくバリア羽根（以下、バリア羽根Ａと呼ぶ）は閉状態と開状態の間でその移動量が最も大きい。そして、他のバリア羽根はバリア羽根Ａに従動するようになっている。
【０００８】
さらに、駆動機構によってバリア羽根は閉状態と開状態の間で駆動される。この際、駆動機構によって駆動されるバリア羽根はバリア羽根Ａである。つまり、バリア羽根Ａ以外のバリア羽根はバリア羽根Ａとの直接的又は間接的な係合によって駆動されている。
【先行技術文献】
【特許文献】
【０００９】
【特許文献１】特開２０１１−１２３１０７号公報
【発明の概要】
【発明が解決しようとする課題】
【００１０】
従来のレンズバリアにおいては、外乱によってバリア羽根とそれ以外のバリア羽根との係合が外れた場合、レンズバリアの動作が不能となることがある。
【００１１】
また、係合を確実にするため、バリア羽根同士の係合を単純に強化して所謂係合量を大きくすると、不可避的にレンズ鏡筒自体が大きくなってしまう。
【００１２】
また、係合を強化するため、１つのバリア羽根が別のバリア羽根を挟み込むような形状として、バリア羽根同士を外れにくくするような複雑な係合にするとしてしまうと、組み立てが極めて面倒となってしまう。
【００１３】
そこで、本発明の目的は、組立性を損なうことなく、１つのバリア羽根とそれ以外のバリア羽根との係合を強固にして、信頼性の高いレンズバリアを有する光学機器を提供することにある。
【課題を解決するための手段】
【００１４】
上記の目的を達成するため、本発明によるレンズバリアを有する光学機器は、樹脂製の第１の保護部材、樹脂製の第２の保護部材、および樹脂製の第３の保護部材を備え、光軸の方向に延びる第１の回転軸を中心とする前記第１の保護部材の回転に連動して前記第２の保護部材および前記第３の保護部材を回転させることでレンズの前面を開閉するレンズバリアを有する光学機器であって、前記第２の保護部材は前記第１の回転軸を中心として回転し、前記第１の保護部材および前記第２の保護部材は、前記レンズバリア開閉動作時に弾性変形が可能であり、前記第１の回転軸はレンズ鏡筒に形成された第１の穴部に回転可能に支持され、前記第２の保護部材には第２の穴部が形成され、前記第２の穴部に前記第１の回転軸と同軸の軸が回転可能に支持されており、前記レンズ鏡筒には、前記第１の穴部とは異なる第３の穴部が形成されており、前記第１の回転軸とは異なる第２の回転軸が前記第３の穴部に回転可能に支持されて、前記第３の保護部材は前記第２の回転軸を中心として回転し、前記第２の穴部は前記第３の保護部材に前記光軸の方向で重なり、前記第２の保護部材には、前記第１の保護部材の前記第１の回転軸の方向に沿った移動を規制する規制部材が設けられており、前記規制部材は、前記第１の保護部材および第２の保護部材の弾性変形によって前記レンズバリア開閉動作時に前記第１の保護部材に常に係合されて、前記第１の保護部材の前記第１の回転軸の方向に沿った移動を規制することを特徴とする。
【発明の効果】
【００１５】
本発明によれば、第１の保護部材（バリア羽根）とそれ以外の保護部材（バリア羽根）との係合を組立性を損なうことなく強固として信頼性を高くすることができる。
【図面の簡単な説明】
【００１６】
【図１】本発明の実施の形態によるレンズバリアを有する光学機器であるレンズ鏡筒において撮影状態における断面を示す図である。
【図２】図１に示すレンズ鏡筒の非撮影状態である沈胴状態における断面を示す図である。
【図３】図１に示すレンズ鏡筒を分解して示す斜視図である。
【図４】図３に示すレンズ鏡筒の固定筒ユニットを示す斜視図である。
【図５】図３に示すレンズ鏡筒の中間ユニットを示す斜視図である。
【図６】図３に示すレンズ鏡筒のカム筒ユニットを示す斜視図である。
【図７】図３に示す１群筒ユニットを詳細に示す斜視図である。
【図８】図７に示す１群筒ユニットがカム筒と係合した状態を示す斜視図である。
【図９】図７に示す１群筒ユニットを分解して示す斜視図である。
【図１０】図９で説明したバリア羽根部の回転軸が１群筒の嵌合穴に嵌合した状態を示す断面図である。
【図１１】図９に示すバリア羽根部の係合状態を図９において裏面からみた斜視図である。
【発明を実施するための形態】
【００１７】
以下、本発明の実施の形態によるレンズバリアを有する光学機器の一例について図面を参照して説明する。
【００１８】
図１は、本発明の実施の形態によるレンズバリアを有する光学機器であるレンズ鏡筒において撮影状態における断面を示す図である。図２は、図１に示すレンズ鏡筒の非撮影状態である沈胴状態における断面を示す図である。図３は図１に示すレンズ鏡筒を分解して示す斜視図である。
【００１９】
図１および図２を参照して、図示のレンズ鏡筒は５群の撮影レンズ群を備えている。１群レンズ１１は１群筒５１に保持され、２群レンズ１２は２群ホルダ７２に保持される。また、３群レンズ１３は絞りシャッターユニット７３Ｓとともに３群ホルダ７３に保持される。４群レンズ１４は４群ホルダ７４に保持され、これら１群レンズ１１〜４群レンズ１４は後述するモータ８１によって光軸方向に沿って進退駆動される。５群レンズ１５は、５群ホルダ７５に保持され、後述するＡＦモータユニット７６によって光軸方向に移動可能となっている。
【００２０】
図示のレンズ鏡筒は３段構成となっており、撮影時および沈胴時においてレンズ鏡筒全長を変化させることができる。なお、本発明はこのような全長を変化させるレンズ鏡筒に限定するものではない。
【００２１】
続いて、レンズ鏡筒各段の構成について説明する。
【００２２】
図４は図３に示すレンズ鏡筒の固定筒ユニットを示す斜視図である。
【００２３】
固定筒ユニット２０は外側に位置する鏡筒カバー２１、鏡筒カバー２１の内側に位置する回転筒２２、および固定筒２３を有している。鏡筒カバー２１は固定筒２３および撮像素子１６を保持するホルダ２４（図３）とともにビスなどで固定されて、カメラ本体に保持される。
【００２４】
ホルダ２４には、回転筒２２の駆動源であるモータ８１とモータ８１からの動力を伝達するギアを収納したギアボックス８２とが保持されている。ギアボックス８２の出力ギアは回転筒２２のギア２２ａとかみ合い、回転筒２２は固定筒２３の外周を光軸を中心として回転する。
【００２５】
固定筒２３の内側には光軸方向に沿って延在する直進溝２３ａ、貫通溝２３ｂ、およびカム溝２３ｃが形成されている。また、回転筒２２の内側には光軸方向に沿って延在する直進溝２２ｂが形成されている。
【００２６】
図５は図３に示すレンズ鏡筒の中間ユニットを示す斜視図である。
【００２７】
レンズ鏡筒１段目である中間筒ユニット３０は、中間回転筒３１および中間直進板３２を備えている。中間回転筒３１は、その外側（外周面）に駆動ピン３１ｂおよびカムピン３１ｃが備えられ、内側には光軸方向に沿って延在する直進溝３１ｄが形成されている。
【００２８】
駆動ピン３１ｂは、回転筒２２の直進溝２２ｂと係合する。これによって、中間回転筒３１は回転筒２２とともに回転する。カムピン３１ｃは、固定筒２３のカム溝２３ｃと係合する。よって、カム溝２３ｃの軌跡に沿って中間筒ユニット３０が光軸方向に沿って移動する。
【００２９】
また、中間回転筒３１の内側には、３群ホルダ７３のカムピン７３ａに係合するカム溝３１ｆと４群ホルダ７４のカムピン７４ａに係合するカム溝３１ｇとが形成されている。３群ホルダ７３および４群ホルダ７４はそれぞれカム溝３１ｆおよび３１ｇの軌跡に沿って光軸方向に移動する。
【００３０】
中間直進板３２はリング形状であり、径方向に突出する突起３２ａを有している。この突起３２ａは中間回転筒３１においてその径方向に穿たれた溝部３１ｈと係合する。よって、中間回転筒３１は回転筒２２とともに光軸方向に一体的に移動する。
【００３１】
中間直進板３２は軸方向に延びる直進キー３２ｂ、３２ｃ、および３２ｄを有するとともに、その外周部に径方向に突出する突起部３２ｅを備えている。中間直進板３２の突起部３２ｅは、固定筒２３の直進溝２３ａと係合する。よって、中間直進板３２は直進溝２３ａに沿って光軸方向にガイドされる。
【００３２】
また、中間直進板３２の直進キー３２ｂは４群ホルダ７４と係合し、直進キー３２ｃは内直進筒５３と係合する。そして、直進キー３２ｄは外筒４１と係合する。従って、４群ホルダ７４、内直進筒５３、および外筒４１は光軸方向に直進ガイドされることになる。
【００３３】
図６は、図３に示すレンズ鏡筒のカム筒ユニットを示す斜視図である。
【００３４】
レンズ鏡筒２段目であるカム筒ユニット４０は、外筒４１、カム筒４２、および内直進筒４３を有している。外筒４１において、その外側（外周面）には径方向に突起するカムピン４１ａが形成され、内側（内周面）には光軸方向に延びる直進溝４１ｂが形成されている。
【００３５】
上記のカムピン４１ａは、中間回転筒３１のカム溝３１ｅと係合する。直進溝４１ｂは中間直進板３２の直進キー３２ｄと係合する。
【００３６】
カム筒４２において、その外側（外周面）にはカム溝４２ａおよび駆動ピン４２ｂが形成され、内側（内周面）にはカム溝４２ｃおよび係合溝４２ｄが形成されている。カム溝４２ａは１群筒５１のカムピン５１ａと係合する。これによって、１群筒５１はカム溝４２ａの軌跡に沿って進退する。
【００３７】
駆動ピン４２ｂは、中間回転筒３１の直進溝３１ｄと係合する。よって、カム筒４２は中間回転筒３１とともに回転する。また、カム溝４２ｃは２群ホルダ７２のカムピン７２ａと係合する。そして、２群ホルダ７２はカム溝４２ｃの軌跡に沿って進退する。
【００３８】
内直進筒４３において、その内側（内周面）には２群ホルダ７２の直進ガイドを行う直進ガイド溝４３ａと３群ホルダ７３の直進ガイドを行う直進ガイド溝４３ｂとが形成されている。これら直進ガイド溝４３ａおよび４３ｂは光軸方向に延びている。また、内直進筒４３の外周面には１群ユニット５０の直進ガイドを行う直進キー部４３ｃが形成されている。
【００３９】
さらに、内直進筒４３の外周面には径方向に突出する突起４３ｄが設けられており、この突起４３ｄはカム筒４２の径方向に穿たれた溝部４２ｄと係合する。よって、内直進筒４３はカム筒４２とともに光軸方向に一体的に移動する。
【００４０】
図７は図３に示す１群筒ユニット５０を詳細に示す斜視図である。また、図８は図７に示す１群筒ユニット５０がカム筒４２と係合した状態を示す斜視図である。
【００４１】
１群筒ユニット５０は、１群筒５１、バリア羽根５２、および１群カバー５３を備えている。１群筒５１の内側（内周面）には、カム筒４２のカム溝４２ａと係合するカムピン５１ａが形成されるとともに、１群筒５１の直進ガイドを行うための直進ガイド溝５１ｂが形成されている。
【００４２】
このため、１群筒ユニット５０はカム溝４２ａの軌跡に沿って進退する。また、バリア羽根５２は、撮影状態では開口を開き、沈胴状態では開口を閉じる。
【００４３】
次に、図３に示すレンズ鏡筒で用いられるレンズバリア装置（以下単にレンズバリアともいう）について説明する。
【００４４】
図９は図７に示す１群筒ユニット５０を分解して示す斜視図である。
【００４５】
１群カバー５３には撮影光路が通過するためのバリア開口５４が設けられている。バリア羽根５２はバリア開口５４を完全に覆い隠す閉状態とバリア開口５４から完全に退避する開状態との間で遷移する。つまり、バリア羽根５２はレンズ鏡筒の前面を開閉する。なお、１群カバー５３は１群筒５１に接着又は両面テープで固定される。
【００４６】
バリア羽根５２は光軸を中心に３枚で一組のバリア羽根部を有しており、これらバリア羽根部が点対称に配置されている。そして、バリア羽根５２は合計６枚のバリア羽根部を有している。
【００４７】
これらバリア羽根部は、例えば、合成樹脂製である。以下の説明では、光軸に最も近い箇所を覆い隠すバリア羽根部から順に、バリア羽根部５２Ａ（第１の保護部材）、バリア羽根部５２Ｂ（第２の保護部材）、およびバリア羽根部５２Ｃ（第３の保護部材）と呼ぶことにする。
【００４８】
光軸に最も近い箇所を覆い隠すバリア羽根部５２Ａには回転軸となるバリア羽根Ａ回転軸５２Ａ１が形成されている。この回転軸５２Ａ１が１群筒５１に設けられた嵌合穴（第１の穴部）に嵌合して、バリア羽根部５２Ａは回転軸５２Ａ１を回転中心として回転可能に１群筒５１に支持される。
【００４９】
また、バリア羽根部５２Ｂには嵌合穴（第２の穴部）が設けられている。この嵌合穴がバリア羽根Ａ回転軸５２Ａ１と同軸の軸に嵌合して嵌合穴を中心としてバリア羽根部５２Ｂは回転可能に支持される。
【００５０】
バリア羽根５２Ｃには回転軸となるバリア羽根Ｃ回転軸５２Ｃ１が形成されている。この回転軸５２Ｃ１が１群筒５１に設けられたバリア羽根Ａ回転軸５２Ａ１とは別の嵌合穴（第３の穴部）に嵌合して、バリア羽根５２Ｃは回転軸５２Ｃ１の周りに回転可能に１群筒５１に支持される。
【００５１】
図１０は、図９で説明したバリア羽根部の回転軸が１群筒５１の嵌合穴に嵌合した状態を示す断面図である。
【００５２】
図１０に示すように、バリア羽根部５２Ｃの回転軸をバリア羽根５２Ａおよびバリア羽根５２Ｂとは別にすることによって、バリア羽根部５２Ｂの嵌合穴をバリア羽根部５２Ｃに光軸方向で重なるように延長することができる。これによって嵌合長が長くなるので、バリア羽根部５２Ｂの傾きを抑制することができ、バリア羽根部５２Ｂが光軸に対して垂直な姿勢を取るようになる。よって、外観上の品位を向上することができる。
【００５３】
さらに、嵌合長が長いので、バリア羽根部５２Ｂに外力が加わった場合でも、バリア羽根部５２Ｂが脱落してしまう不具合の発生を低減することができる。
【００５４】
加えて、バリア羽根部５２Ｃは独自の回転軸を有しているので、バリア羽根部５２Ｃは１群筒５１との間で十分な嵌合長をもって嵌合を行うことができ、バリア羽根部５２Ｃの円滑な回転動作が可能となる。そして、バリア羽根５２Ｂと同様に、嵌合長が長いため、バリア羽根５２Ｃが脱落してしまう不具合の発生を低減することができる。
【００５５】
再び図９を参照して、バリア駆動環５５は１群筒５１に対して光軸を中心として回転自在に嵌合される。さらに、バリア駆動環５５は１群筒５１とバリア駆動環５５との間に設けられたバヨネット構造によって光軸方向への移動が規制される。また、バリア駆動環５５は引っ張りばねであるバリアばね５６によって図９に示す回転方向Ｂに回転付勢されている。
【００５６】
バリア駆動環５５には光軸方向に突出するバリア駆動環突起５７が形成されており、バリア駆動環突起５７は１群筒５１を貫通してカム筒４２と係合する。
【００５７】
前述のように、１群筒ユニット５０はカム溝４２ａに沿って光軸方向に進退するので、撮影の際にはバリア駆動環突起５７とカム筒４２とが離間する。一方、非撮影時である沈胴時にはバリア駆動環突起５７とカム筒４２とが係合して、バリア駆動環５５はバリアばね５６の付勢力に打ち勝って回転方向Ａに回転する。
【００５８】
続いて、図９に示すバリア羽根５２の作動について説明する。
【００５９】
前述のように、バリア羽根５２は光軸を中心に３枚で一組のバリア羽根部が合計６枚点対称に配置されている。そして、これらバリア羽根部の作動機構も光軸を中心に点対称に配置されるので、以下の説明では片側の作動機構のみについて説明する。
【００６０】
沈胴時には、バリア駆動環５５は図９において回転方向Ａに回転しており、バリア羽根５２には何ら作用を及ぼさない。この状態で、バリア羽根部５２Ａにはバリアばね５６によってバリア開口５４を覆う方向に付勢される。このため、図９に示すように、点対称に配置されたバリア羽根部５２Ａは互いに当接してバリア開口５４の一部を覆い隠す閉じ作動を行う。
【００６１】
バリア羽根５２Ａにはバリア羽根Ａ閉連動部５２Ａ２が備えられ、この閉連動部５２Ａ２は光軸方向に沿ってバリア羽根部５２Ｂと重なるように延在している。一方、バリア羽根部５２Ｂにはバリア羽根Ａ閉連動部５２Ａ２によって押圧されるバリア羽根Ｂ閉連動部５２Ｂ２が設けられている。
【００６２】
バリア羽根部５２Ａの閉じ動作に伴ってバリア羽根Ｂ閉連動部５２Ｂ２がバリア羽根Ａ閉連動部５２Ａ２で押圧されると、バリア羽根部５２Ｂは連動してバリア開口５４の閉じ動作を行う。
【００６３】
同様に、バリア羽根部５２Ｂにはその先端にバリア羽根Ｂ閉連動部５２Ｂ３が設けられている。一方、バリア羽根部５２Ｃにはバリア羽根Ｂ閉連動部５２Ｂ３によって押圧されるバリア羽根Ｃ閉連動部５２Ｃ２が設けられている。バリア羽根部５２Ｂの閉じ動作に伴ってバリア羽根Ｃ閉連動部５２Ｃ２がバリア羽根Ｂ閉連動部５２Ｂ３で押圧されると、バリア羽根部５２Ｃは連動してバリア開口５４の閉じ動作を行う。
【００６４】
このように、バリア羽根部５２Ａの閉じ動作に応じてバリア羽根部５２Ｂおよび５２Ｃが連動してバリア開口５４の閉じ動作を行い、バリア羽根５２によってバリア開口５４が閉じられる。
【００６５】
続いて、撮影時におけるバリア動作について説明する。
【００６６】
撮影時においては、カム溝４２ａ（図８）に沿って、１群ユニット５０がカム筒４２と相対的に離間する。これによって、バリア駆動環突起５７とカム筒４２（図８）との係合が解除され、バリア駆動環５５はバリアばね５６によって回転方向Ｂに回転駆動される。
【００６７】
この結果、バリア駆動環５５に設けられたバリア羽根駆動ピン５８がバリア羽根部５２Ａに設けられた被駆動部５２Ａ３と当接して、バリア羽根部５２Ａはバリア開口５４を露出させる開き動作を行う。
【００６８】
バリア羽根部５２Ａにはその外周部（外周面）にバリア羽根Ａ開連動面５２Ａ４が形成されている。一方、バリア羽根部５２Ｂにはバリア羽根Ａ開連動面５２Ａ４によって押圧されるバリア羽根Ｂ開連動部５２Ｂ４が設けられている。
【００６９】
バリア羽根部５２Ａの開き動作に伴ってバリア羽根Ｂ開連動部５２Ｂ４がバリア羽根Ａ開連動面５２Ａ４で押圧されると、バリア羽根部５２Ｂは連動してバリア開口５４の開き動作を行う。
【００７０】
同様に、バリア羽根部５２Ａにはその外周部にバリア羽根Ａ開連動面５２Ａ５が形成されている。一方、バリア羽根部５２Ｃにはバリア羽根Ａ開連動面５２Ａ５によって押圧されるバリア羽根Ｃ開連動部５２Ｃ３が設けられている。バリア羽根５２Ａの開き動作に伴ってバリア羽根Ｃ開連動部５２Ｃ３がバリア羽根Ａ開連動面５２Ａ５で押圧されると、バリア羽根部５２Ｃは連動してバリア開口５４の開き動作を行う。
【００７１】
このように、バリア羽根部５２Ａの開き動作に応じてバリア羽根部５２Ｂおよび５２Ｃが連動して開き動作を行って、バリア羽根５２はバリア開口５４を開く。
【００７２】
ここで、上述したバリア羽根部同士の連動について詳細に説明する。
【００７３】
図１１は、図９に示すバリア羽根部５２Ａとバリア羽根部５２Ｂの係合状態を図９において裏面からみた斜視図である。
【００７４】
図１１において、バリア羽根部５２Ｃには光軸方向に延在するバリア羽根Ａ閉連動部５２Ａ２を回避するための凹み５２Ｃ４が設けられている。従って、この凹み５２Ｃ４を介してバリア羽根Ａ閉連動部５２Ａ２の突出量を大きくすることができる。
【００７５】
そして、バリア羽根Ｂ閉連動部５２Ｂ２はバリア羽根部５２Ａの方向に延在しており、バリア羽根５２Ｂの方向に延在するバリア羽根Ａ閉連動部５２Ａ２との係合長を長くして係合が外れにくいようにする。
【００７６】
また、バリア羽根部５２Ｂにはフック５２Ｂ５（規制部材）が形成され、バリア開口５４が閉じられた状態から開かれた状態の間で、フック５２Ｂ５はバリア羽根部５２Ａの外周部を常に挟み込む（つまり、フック５２Ｂ５はバリア羽根部５２Ａに係合する）。
【００７７】
これによって、バリア羽根５２に外乱が加わったとしても、バリア羽根Ａ閉連動部５２Ａ２とバリア羽根Ｂ閉連動部５２Ｂ２との係合をより外れにくいものとしている。
【００７８】
さらに、バリア開口５４を開く際においても、フック５２Ｂ５はバリア羽根Ａ開連動面５２Ａ４とバリア羽根Ｂ開連動部５２Ｂ４との係合を外れにくくしている。
【００７９】
バリア羽根部５２Ｂをバリア羽根部５２Ａの回転軸に嵌合させた状態において、フック５２Ｂ５はバリア羽根部５２Ａの外周部を挟みこんでおり、回転軸の方向からみてフック５２Ｂ５はバリア羽根部５２Ａと重なりあっている。このため、バリア羽根部５２Ｂをバリア羽根部５２Ａに組み込む際には、バリア羽根部５２Ｂを弾性変形させて組み込む必要がある。
【００８０】
具体的には、まずフック５２Ｂ５にバリア羽根部５２Ａを係合させた後、バリア羽根部５２Ｂをバリア羽根部５２Ａの回転軸に嵌合させる。この際、バリア羽根部５２Ｂを撓ませる必要があるものの、バリア羽根部５２Ｂを全体的に弾性変形させるので、その変形ひずみは小さく過大な力は必要ない。よって、組み込みは容易に行うことができる。
【００８１】
さらに、組み込みの後には、フック５２Ｂ５によってバリア羽根部５２Ｂは脱落しなくなるので、その後に行われるバリア羽根部５２Ｃなどの組込作業は容易に行うことができる。
【００８２】
続いて、バリア羽根部５２Ｂとバリア羽根部５２Ｃとの係合について説明する。
【００８３】
バリア開口５４を閉じる際には、バリア羽根Ｂ閉連動部５２Ｂ３がバリア羽根Ｃ閉連動部５２Ｃ２に当接して、バリア羽根部５２Ｃが閉じ動作する。ここでは、係合をより確実にするため、バリア羽根Ｃ閉連動部５２Ｃ２がバリア羽根部２Ｂを挟み込むフック状に形成される。
【００８４】
ただし、バリア開口５４を開く際には、バリア羽根部５２Ｂおよび５２Ｃの係合は解除される結果、バリア羽根Ｃ閉連動部５２Ｃ２のフックによるバリア羽根５２Ｂの挟み込みは行われない。これは、互いの係合部における光軸方向の上下に、バリア駆動環５５および１群カバー５３が配置されているので、バリア羽根部の光軸方向の変位を規制するためである。
【００８５】
一方、バリア羽根部５２Ａとバリア羽根部５２Ｂとの連動は光軸近傍で行われ、光軸方向の上下からバリア羽根部を挟み込む部材は存在しない。なお、１群レンズ１１がバリア羽根５２の下側に配置されているが、バリア羽根５２との擦れを防止するために、１群レンズ１１は所定量バリア羽根から離れているので、バリア羽根５２の変位が規制されることはない。
【００８６】
このため、フック５２Ｂ５がない場合には、外乱による係合部の外れが発生しやすくなる。フック５２Ｂ５による係合を外すにはバリア羽根部５２Ｂの回転軸におけるバリア羽根部５２Ａとの嵌合を先に外す必要があるが、１群ユニット５０の完成状態ではこの嵌合を外すことはできないので、レンズ鏡筒完成状態でフック５２Ｂ５の係合を外すことは困難である。
【００８７】
なお、バリア羽根部５２Ａとバリア羽根部５２Ｂとの連動をバリア駆動環５５と１群カバー５３とで挟まれる領域に配置するようにした場合、バリア羽根部５２Ｂとバリア羽根部５２Ｃとの連動部をより外側に配置しなくてはならずレンズ鏡筒が大型化してしまう。
【００８８】
このように、本発明の実施の形態では、複数のバリア羽根部を備えるバリア羽根によってバリア開口を開閉するレンズバリア装置において、バリア羽根部を互いに係合させて連動させる際、バリア羽根部をその弾性を互いにフックなどの係止部で係合させるようにしたので、バリア羽根の組立性が損なわれることなく、しかも外乱に対して係合を外れにくくすることができる。
【００８９】
なお、前述したように、上記のレンズバリア装置を有するレンズ鏡筒は、例えば、コンパクトデジタルカメラなどの撮像装置で用いられる。そして、撮像装置はレンズ鏡筒を介して入射した光を受けて、被写体像の撮影を行う撮影手段とを有することになる。
【００９０】
以上、本発明について実施の形態に基づいて説明したが、本発明は、これらの実施の形態に限定されるものではなく、この発明の要旨を逸脱しない範囲の様々な形態も本発明に含まれる。
【符号の説明】
【００９１】
４１  外筒
４２  カム筒
４３  内直進筒
５０  １群筒ユニット
５１  １群筒
５２Ａ、５２Ｂ、５２Ｃ  バリア羽根部
５３  １群カバー
５４  バリア開口
５５  バリア駆動環
５６  バリアばね
【図１】
0005967954.tif 000002
【図２】
0005967954.tif 000003
【図３】
0005967954.tif 000004
【図４】
0005967954.tif 000005
【図５】
0005967954.tif 000006
【図６】
0005967954.tif 000007
【図７】
0005967954.tif 000008
【図８】
0005967954.tif 000009
【図９】
0005967954.tif 000010
【図１０】
0005967954.tif 000011
【図１１】
0005967954.tif 000012